【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおける前記ワイヤレス通信についての状態情報を共有する方法であって、前記アクセスポイントは、通信パラメータを含むプローブ応答フレームを送信し、前記方法は、
アクセスポイントにおいて、プローブ要求を受信することと、
前記アクセスポイントにおいて、共有ワイヤレスデバイス状態情報を決定するために前記プローブ要求を復号することと、
前記アクセスポイントにおいて、少なくともタイムアウト期間は前記共有ワイヤレスデバイス状態情報を記憶することと、
前記アクセスポイントにおいて、前記タイムアウト期間を示すプローブ応答を送信することと、
前記アクセスポイントにおいて、前記タイムアウト期間内に、前記ワイヤレスデバイス状態情報を除いた関連付け要求を受信することとを備える方法。
【請求項２】
共有レート、拡張サポートレート、サポートされる動作クラス、高スループット（ＨＴ）能力、２０／４０基本サービスセット（ＢＳＳ）共存、および拡張能力のうちの１つまたは複数を決定するために、前記共有ワイヤレス状態情報を復号することをさらに備える、請求項１に記載の方法。
【請求項３】
サービスセット識別（ＳＳＩＤ）、情報要求、直接シーケンススペクトル拡散（ＤＳＳＳ）パラメータセット、ＳＳＩＤリスト、チャネル使用、相互作用指示、およびメッシュ識別のうちの１つまたは複数を決定するために、前記プローブ要求を復号することをさらに備える、請求項１に記載の方法。
【請求項４】
能力、リッスン間隔、サービスセット識別（ＳＳＩＤ）、サポートされるチャネル、堅牢セキュリティネットワーク（ＲＳＮ）指示、サービス品質（ＱｏＳ）能力、ＲＭ有効化能力、モビリティドメイン、およびＱｏＳトラフィック能力のうちの１つまたは複数を決定するために、前記関連付け要求を復号することをさらに備える、請求項１に記載の方法。
【請求項５】
前記タイムアウト期間外に第２の関連付け要求を受信することと、
ワイヤレスデバイス状態情報を決定するために、前記第２の関連付け要求を復号することとをさらに備える、請求項１に記載の方法。
【請求項６】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおける前記ワイヤレス通信についての状態情報を共有するための装置であって、前記アクセスポイントは、通信パラメータを含むプローブ応答フレームを送信し、ここにおいて、前記装置は、アクセスポイントであり、前記アクセスポイントは、
プローブ要求を受信するように構成された受信機と、
共有ワイヤレスデバイス状態情報を決定するために前記プローブ要求を復号し、
少なくともタイムアウト期間は前記共有ワイヤレスデバイス状態情報を記憶するように構成されたプロセッサと、
前記タイムアウト期間を示すプローブ応答を送信するように構成された送信機とを備え、
前記受信機は、前記タイムアウト期間内に、前記ワイヤレスデバイス状態情報を除いた関連付け要求を受信するようにさらに構成される、装置。
【請求項７】
前記受信機は、前記タイムアウト期間外に第２の関連付け要求を受信するようにさらに構成され、前記プロセッサは、ワイヤレスデバイス状態情報を決定するために、前記第２の関連付け要求を復号するようにさらに構成される、請求項６に記載の装置。
【請求項８】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおける前記ワイヤレス通信についての状態情報を共有する方法であって、前記アクセスポイントは、通信パラメータを含むプローブ応答フレームを送信し、前記方法は、
ワイヤレスデバイスにおいて、共有ワイヤレスデバイス状態情報を備えるプローブ要求を送信することと、
前記ワイヤレスデバイスにおいて、プローブ応答を受信することと、
前記ワイヤレスデバイスにおいて、タイムアウト期間を決定するために前記プローブ応答を復号することと、
前記ワイヤレスデバイスにおいて、前記ワイヤレスデバイス状態情報を除く関連付け要求を前記タイムアウト期間内に送信することとを備える方法。
【請求項９】
共有レート、拡張サポートレート、サポートされる動作クラス、高スループット（ＨＴ）能力、２０／４０基本サービスセット（ＢＳＳ）共存、および拡張能力のうちの１つまたは複数の指示を含むように、前記共有ワイヤレス状態情報を生成することをさらに備える、請求項８に記載の方法。
【請求項１０】
サービスセット識別（ＳＳＩＤ）、情報要求、直接シーケンススペクトル拡散（ＤＳＳＳ）パラメータセット、ＳＳＩＤリスト、チャネル使用、相互作用指示、およびメッシュ識別のうちの１つまたは複数の指示を含むように、前記プローブ要求を生成することをさらに備える、請求項８に記載の方法。
【請求項１１】
能力、リッスン間隔、サービスセット識別（ＳＳＩＤ）、サポートされるチャネル、堅牢セキュリティネットワーク（ＲＳＮ）指示、サービス品質（ＱｏＳ）能力、ＲＭ有効化能力、モビリティドメイン、およびＱｏＳトラフィック能力のうちの１つまたは複数の指示を含むように、前記関連付け要求を生成することをさらに備える、請求項８に記載の方法。
【請求項１２】
前記送信が前記タイムアウト期間外に起こったことに応答して、前記ワイヤレスデバイス状態情報を備える第２の関連付け要求を送信することをさらに備える、請求項８に記載の方法。
【請求項１３】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムにおける前記ワイヤレス通信についての状態情報を共有するための装置であって、前記アクセスポイントは、通信パラメータを含むプローブ応答フレームを送信し、ここにおいて、前記装置は、ワイヤレスデバイスであり、前記ワイヤレスデバイスは、
共有ワイヤレスデバイス状態情報を備えるプローブ要求を送信するように構成された送信機と、
プローブ応答を受信するように構成された受信機と、
タイムアウト期間を決定するために前記プローブ応答を復号するように構成されたプロセッサと、ここにおいて、前記送信機は、前記タイムアウト期間内に、前記ワイヤレスデバイス状態情報を除く関連付け要求を送信するようにさらに構成される、を備える装置。
【請求項１４】
前記送信機は、前記送信が前記タイムアウト期間外に起こったことに応答して、前記ワイヤレスデバイス状態情報を備える第２の関連付け要求を送信するようにさらに構成される、請求項１３に記載の装置。
【請求項１５】
コンピュータプログラム製品であって、
実行されるとき、請求項１乃至５および／または８乃至１２のうちのいずれかに記載の方法をコンピュータに実行させるためプログラムコードを記憶したコンピュータ可読媒体を備える、コンピュータプログラム製品。
【手続補正２】
【補正対象書類名】明細書
【補正対象項目名】０２２６
【補正方法】変更
【補正の内容】
【０２２６】
[00243]  上記は、本開示の態様を対象とするが、本開示の基本的な範囲を逸脱することなく、本開示の他の態様およびさらなる態様が考案され得るし、本開示の範囲は以下の特許請求の範囲によって決定される。
以下に、本願の出願当初の特許請求の範囲に記載された発明を付記する。
［Ｃ１］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、前記ワイヤレス通信についての状態情報を共有する方法であって、
アクセスポイントにおいて、プローブ要求を受信することと、
共有ワイヤレスデバイス状態情報を決定するために前記プローブ要求を復号することと、
少なくともタイムアウト期間は前記共有ワイヤレスデバイス状態情報を記憶することと、
前記タイムアウト期間を示すプローブ応答を送信することと、
前記タイムアウト期間内に、前記ワイヤレスデバイス状態情報を除いた関連付け要求を受信することとを備える方法。
［Ｃ２］
共有レート、拡張サポートレート、サポートされる動作クラス、高スループット（ＨＴ）能力、２０／４０基本サービスセット（ＢＳＳ）共存、および拡張能力のうちの１つまたは複数を決定するために、前記共有ワイヤレス状態情報を復号することをさらに備える、Ｃ１に記載の方法。
［Ｃ３］
サービスセット識別（ＳＳＩＤ）、情報要求、直接シーケンススペクトル拡散（ＤＳＳＳ）パラメータセット、ＳＳＩＤリスト、チャネル使用、相互作用指示、およびメッシュ識別のうちの１つまたは複数を決定するために、前記プローブ要求を復号することをさらに備える、Ｃ１に記載の方法。
［Ｃ４］
能力、リッスン間隔、サービスセット識別（ＳＳＩＤ）、サポートされるチャネル、堅牢セキュリティネットワーク（ＲＳＮ）指示、サービス品質（ＱｏＳ）能力、ＲＭ有効化能力、モビリティドメイン、およびＱｏＳトラフィック能力のうちの１つまたは複数を決定するために、前記関連付け要求を復号することをさらに備える、Ｃ１に記載の方法。
［Ｃ５］
前記タイムアウト期間外に第２の関連付け要求を受信することと、
ワイヤレスデバイス状態情報を決定するために、前記第２の関連付け要求を復号することとをさらに備える、Ｃ１に記載の方法。
［Ｃ６］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、前記ワイヤレス通信についての状態情報を共有するための装置であって、
プローブ要求を受信するように構成された受信機と、
共有ワイヤレスデバイス状態情報を決定するために前記プローブ要求を復号し、
少なくともタイムアウト期間は前記共有ワイヤレスデバイス状態情報を記憶するように構成されたプロセッサと、
前記タイムアウト期間を示すプローブ応答を送信するように構成された送信機とを備え、
前記受信機は、前記タイムアウト期間内に、前記ワイヤレスデバイス状態情報を除いた関連付け要求を受信するようにさらに構成される、装置。
［Ｃ７］
前記プロセッサは、共有レート、拡張サポートレート、サポートされる動作クラス、高スループット（ＨＴ）能力、２０／４０基本サービスセット（ＢＳＳ）共存、および拡張能力のうちの１つまたは複数を決定するために、前記共有ワイヤレス状態情報を復号するようにさらに構成される、Ｃ６に記載の装置。
［Ｃ８］
前記プロセッサは、サービスセット識別（ＳＳＩＤ）、情報要求、直接シーケンススペクトル拡散（ＤＳＳＳ）パラメータセット、ＳＳＩＤリスト、チャネル使用、相互作用指示、およびメッシュ識別のうちの１つまたは複数を決定するために、前記プローブ要求を復号するようにさらに構成される、Ｃ６に記載の装置。
［Ｃ９］
前記プロセッサは、能力、リッスン間隔、サービスセット識別（ＳＳＩＤ）、サポートされるチャネル、堅牢セキュリティネットワーク（ＲＳＮ）指示、サービス品質（ＱｏＳ）能力、ＲＭ有効化能力、モビリティドメイン、およびＱｏＳトラフィック能力のうちの１つまたは複数を決定するために、前記関連付け要求を復号するようにさらに構成される、Ｃ６に記載の装置。
［Ｃ１０］
前記受信機は、前記タイムアウト期間外に第２の関連付け要求を受信するようにさらに構成され、前記プロセッサは、ワイヤレスデバイス状態情報を決定するために、前記第２の関連付け要求を復号するようにさらに構成される、Ｃ６に記載の装置。
［Ｃ１１］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、前記ワイヤレス通信についての状態情報を共有する方法であって、
ワイヤレスデバイスにおいて、共有ワイヤレスデバイス状態情報を備えるプローブ要求を送信することと、
プローブ応答を受信することと、
タイムアウト期間を決定するために前記プローブ応答を復号することと、
前記ワイヤレスデバイス状態情報を除く関連付け要求を前記タイムアウト期間内に送信することとを備える方法。
［Ｃ１２］
共有レート、拡張サポートレート、サポートされる動作クラス、高スループット（ＨＴ）能力、２０／４０基本サービスセット（ＢＳＳ）共存、および拡張能力のうちの１つまたは複数の指示を含むように、前記共有ワイヤレス状態情報を生成することをさらに備える、Ｃ１１に記載の方法。
［Ｃ１３］
サービスセット識別（ＳＳＩＤ）、情報要求、直接シーケンススペクトル拡散（ＤＳＳＳ）パラメータセット、ＳＳＩＤリスト、チャネル使用、相互作用指示、およびメッシュ識別のうちの１つまたは複数の指示を含むように、前記プローブ要求を生成することをさらに備える、Ｃ１１に記載の方法。
［Ｃ１４］
能力、リッスン間隔、サービスセット識別（ＳＳＩＤ）、サポートされるチャネル、堅牢セキュリティネットワーク（ＲＳＮ）指示、サービス品質（ＱｏＳ）能力、ＲＭ有効化能力、モビリティドメイン、およびＱｏＳトラフィック能力のうちの１つまたは複数の指示を含むように、前記関連付け要求を生成することをさらに備える、Ｃ１１に記載の方法。
［Ｃ１５］
前記送信が前記タイムアウト期間外に起こったことに応答して、前記ワイヤレスデバイス状態情報を備える第２の関連付け要求を送信することをさらに備える、Ｃ１１に記載の方法。
［Ｃ１６］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、前記ワイヤレス通信についての状態情報を共有するための装置であって、
共有ワイヤレスデバイス状態情報を備えるプローブ要求を送信するように構成された送信機と、
プローブ応答を受信するように構成された受信機と、
タイムアウト期間を決定するために前記プローブ応答を復号するように構成されたプロセッサと、ここにおいて、前記送信機は、前記タイムアウト期間内に、前記ワイヤレスデバイス状態情報を除く関連付け要求を送信するようにさらに構成される、を備える装置。
［Ｃ１７］
前記プロセッサは、共有レート、拡張サポートレート、サポートされる動作クラス、高スループット（ＨＴ）能力、２０／４０基本サービスセット（ＢＳＳ）共存、および拡張能力のうちの１つまたは複数の指示を含むように、前記共有ワイヤレス状態情報を生成するようにさらに構成される、Ｃ１６に記載の装置。
［Ｃ１８］
前記プロセッサは、サービスセット識別（ＳＳＩＤ）、情報要求、直接シーケンススペクトル拡散（ＤＳＳＳ）パラメータセット、ＳＳＩＤリスト、チャネル使用、相互作用指示、およびメッシュ識別のうちの１つまたは複数の指示を含むように、前記プローブ要求を生成するようにさらに構成される、Ｃ１６に記載の装置。
［Ｃ１９］
前記プロセッサは、能力、リッスン間隔、サービスセット識別（ＳＳＩＤ）、サポートされるチャネル、堅牢セキュリティネットワーク（ＲＳＮ）指示、サービス品質（ＱｏＳ）能力、ＲＭ有効化能力、モビリティドメイン、およびＱｏＳトラフィック能力のうちの１つまたは複数の指示を含むように、前記関連付け要求を生成するようにさらに構成される、Ｃ１６に記載の装置。
［Ｃ２０］
前記送信機は、前記送信が前記タイムアウト期間外に起こったことに応答して、前記ワイヤレスデバイス状態情報を備える第２の関連付け要求を送信するようにさらに構成される、Ｃ１６に記載の装置。